(57)【要約】      （修正有）【課題】スイッチバック式の表裏反転部により紙葉類の表裏反転処理を行い、搬送中の紙幣が連鎖状態になる装置の異常停止を回避して装置の稼働率を向上させ、操作者の装置運用に係る負荷を軽減する。【解決手段】スイッチバック式の表裏反転部１１８を備える貨幣入出金機１００で、搬送元の集積部から搬出して、識別部１１６で紙幣の表裏を識別し、表裏反転の要否を判定し、表裏反転不要と判定された場合には、表裏反転部を経由せずに集積部に搬送し、表裏反転要と判定され、表裏反転要と判定された紙幣が連続しない場合や表裏反転要と判定された紙幣が連続しても、紙幣の間隔が所定値以上の場合は表裏反転部を経由して集積部に搬送し、表裏反転要と判定された紙幣が連続して、紙幣の間隔が所定値未満の場合には、表裏反転部を経由せずに搬送元とも搬送先とも異なる中間集積部に一旦集積し、中間集積部に集積した貨幣を改めて搬送先の集積部に搬送する。【選択図】図１
2017013906.tif 000002
【特許請求の範囲】
【請求項１】
第１の集積部に集積される紙葉類を、該第１の集積部とは別の第２の集積部に搬送する場合に、表裏反転する必要がある紙葉類は、前記紙葉類の表裏を反転する表裏反転部を経由して前記第２の集積部に搬送し、表裏反転する必要がない紙葉類は、前記表裏反転部を経由せずに前記第２の集積部に搬送する紙葉類処理装置であって、
連続して搬送される表裏反転する必要がある２枚の紙葉類の間隔が所定値より短いか否かの判定を行う間隔判定手段と、
前記間隔判定手段により、前記２枚の紙葉類の間隔が所定値より短いと判定された場合に、前記２枚の紙葉類のうち少なくとも一方を、前記表裏反転部を経由せずに前記第１の集積部とは別で、前記第２の集積部とも別の保留集積部に搬送する保留手段と、
前記保留手段により前記保留集積部に搬送された紙葉類を前記第２の集積部に搬送する保留紙葉類搬送手段と
を備えたことを特徴とする紙葉類処理装置。
【請求項２】
前記保留手段により前記紙葉類が搬送される搬送路と、前記保留紙葉類搬送手段により前記紙葉類が搬送される搬送路とを合わせた結合搬送路の形状が、該結合搬送路により搬送される紙葉類の表裏を反転する前記表裏反転部とは別の代替表裏反転部を形成することを特徴とする請求項１に記載の紙葉類処理装置。
【請求項３】
前記保留集積部は、
前記保留手段により搬送された前記紙葉類の表裏を反転させて、前記保留紙葉類搬送手段に受け渡す保留部表裏反転手段
を備えたことを特徴とする請求項１に記載の紙葉類処理装置。
【請求項４】
前記保留紙葉類搬送手段は、
前記表裏反転部を経由して前記第２の集積部に搬送する
ことを特徴とする請求項１に記載の紙葉類処理装置。
【請求項５】
装置の外部から前記紙葉類の投入を受け付ける投入紙葉類集積部に集積された前記紙葉類のうち同一種類の前記紙葉類を所定枚数、前記第１の集積部に搬送する投入紙葉類搬送手段
をさらに備えたことを特徴とする請求項１〜４のいずれか一つに記載の紙葉類処理装置。
【請求項６】
前記保留手段により集積された前記紙葉類を前記第１の集積部に搬送する保留紙葉類戻し搬送手段
をさらに備えたことを特徴とする請求項１〜４のいずれか一つに記載の紙葉類処理装置。
【請求項７】
少なくとも前記保留手段により前記保留集積部に集積された前記紙葉類が残っている場合には、前記第２の集積部に集積された前記紙葉類に対する外部からのアクセスを制限し、前記保留紙葉類搬送手段により前記保留集積部に集積された前記紙葉類が全て前記第２の集積部に搬送されたならば、前記第２の集積部に集積された前記紙葉類に対する外部からのアクセスの制限を解除するアクセス制御手段
をさらに備えたことを特徴とする請求項１〜５のいずれか一つに記載の紙葉類処理装置。
【請求項８】
第１の集積部に集積される紙葉類を、該第１の集積部とは別の第２の集積部に搬送する場合に、表裏反転する必要がある紙葉類は、前記紙葉類の表裏を反転する表裏反転部を経由して前記第２の集積部に搬送し、表裏反転する必要がない紙葉類は、前記表裏反転部を経由せずに前記第２の集積部に搬送する紙葉類処理装置における紙葉類処理方法であって、
連続して搬送される表裏反転する必要がある２枚の紙葉類の間隔が所定値より短いか否かの判定を行う間隔判定ステップと、
前記間隔判定ステップにより、前記２枚の紙葉類の間隔が所定値より短いと判定された場合に、前記２枚の紙葉類のうち少なくとも一方を、前記表裏反転部を経由せずに前記第１の集積部とは別で、前記第２の集積部とも別の保留集積部に搬送する保留ステップと、
前記保留ステップにより前記保留集積部に搬送された紙葉類を前記第２の集積部に搬送する保留紙葉類搬送ステップと
を含んだことを特徴とする紙葉類処理方法。
【発明の詳細な説明】
【技術分野】
【０００１】
この発明は、紙葉類を受け付けて内部に収納するとともに、装置の内部に収納された紙葉類を払い出す紙葉類処理装置及び紙葉類処理方法に関するものである。
【背景技術】
【０００２】
従来、金融機関には、受け付けた貨幣の収納及び指定した金種別の枚数の貨幣の払い出しを行う貨幣処理装置が設置されている。また、かかる貨幣処理装置は、払い出し用の紙幣が表裏不揃いな状態で内部に収納されていても、表裏を揃えて払い出すことができる機能を有していることも知られている。例えば、特許文献１には、図１９に示すようなスイッチバック式の表裏反転部を備えた貨幣処理装置に係る技術が開示されている。
【０００３】
図１９を用いて貨幣処理装置の表裏反転部について具体的に説明する。図１９（ａ）は、図示しない収納部から搬送されてきた、表面が上を向いた状態の紙幣の搬送経路を示している。表面が上を向いた状態で搬送されてきた位置ａ１の紙幣は、分岐点で表裏反転部の方には分岐されずに、Ｓ字状の搬送路へと搬送され、位置ａ２、ａ３及び合流点を経由して位置ａ４へと搬送される。
【０００４】
図１９（ｂ）は、図示しない収納部から搬送されてきた、裏面が上を向いた状態の紙幣の搬送経路を示している。裏面が上を向いた状態で搬送されてきた位置ｂ１の紙幣は、分岐点で表裏反転部の方に分岐され、位置ｂ２、ｂ３へと搬送される。位置ｂ３に搬送された紙幣は、ガイドに突き当たって停止させられるとともに、位置ｂ４に落下する。そして、位置ｂ４へ落下した紙幣は、合流点の方向に搬送され、位置ｂ５及び合流点を経由して位置ｂ６へと搬送される。このように、表裏反転部を使用することによって、図示しない収納部から搬送されてきた紙幣の表裏の状態の如何に拘わらず、合流部を通過する時点では表裏を揃えることができる。
【先行技術文献】
【特許文献】
【０００５】
【特許文献１】特許５３３６０６９号
【発明の概要】
【発明が解決しようとする課題】
【０００６】
しかしながら、表裏反転する必要のある複数の紙幣が連続して搬送されてきて、かつ複数の紙幣の間隔が短い場合には、図１９に示したような表裏反転部を利用して表裏の反転をしようとすると正常に行えずに処理が停止してしまう場合がある。
【０００７】
この点について、図２０を用いて具体的に説明する。図２０（ａ）に示すように、裏面が上を向いた状態の２枚の紙幣が連続して搬送されてきた場合には、これら２枚の紙幣は、その間隔が短かったとしても、分岐点で表裏反転部の方向に分岐されて搬送される。すると、これらの２枚の紙幣は、図２０（ｂ）に示すように間隔を保って先行する紙幣がガイドに突き当たる位置まで搬送され、先行する紙幣は、ガイドに突き当たった後に水平な搬送路上に落下し、合流点の方向にスイッチバックして搬送される。
【０００８】
ところが、連続して搬送される２つの紙幣の間隔が狭い場合には、先行する紙幣がまだ合流点の方向に十分搬送されていない状態で、図２０（ｃ）に示すように後続の紙幣が、ガイドに突き当たり、水平な搬送路上に落下することになる。すると、図２０（ｄ）に示すように先行する紙幣に後続の紙幣が重なってしまう（以降、「連鎖状態」と言う）事態が発生する。紙幣がこのような連鎖状態となると、貨幣処理装置は、異常を検知して処理を停止してしまうのである。
【０００９】
これらのように、搬送する紙幣が連鎖状態となることにより貨幣処理装置が異常を検知して処理を停止してしまうと、操作者は、装置内の搬送路にある紙幣を取り除いて、取り除いた紙幣を然るべき位置に戻したうえで処理を再実行することとなり、非常に手間がかかってしまうという問題がある。
【００１０】
また、かかる問題は、紙幣の入出金処理を行う貨幣処理装置だけではなく、例えば商品券や手形などの貨幣以外の紙葉類の収納及び払い出しを行う装置が、図１９に示したようなスイッチバック式の表裏反転部を備えている場合にも同様の問題がある。
【００１１】
これらのことから、スイッチバック式の表裏反転部を用いて紙葉類の表裏反転処理を行う場合に、搬送中の紙幣が連鎖状態になることにより発生する装置の異常停止をいかにして回避して装置の稼働率を向上させるとともに、操作者の装置運用に係る負荷を軽減するかが重要な課題となっている。
【００１２】
本発明は、上述した従来技術の課題を解決するためのものであって、スイッチバック式の表裏反転部を用いて紙葉類の表裏反転処理を行う場合に、搬送中の紙幣が連鎖状態になることにより発生する装置の異常停止を回避して装置の稼働率を向上させるとともに、操作者の装置運用に係る負荷を軽減することができる紙葉類処理装置及び紙葉類処理方法を提供することを目的とする。
【課題を解決するための手段】
【００１３】
上述した課題を解決し、目的を達成するため、本発明は、第１の集積部に集積される紙葉類を、該第１の集積部とは別の第２の集積部に搬送する場合に、表裏反転する必要がある紙葉類は、前記紙葉類の表裏を反転する表裏反転部を経由して前記第２の集積部に搬送し、表裏反転する必要がない紙葉類は、前記表裏反転部を経由せずに前記第２の集積部に搬送する紙葉類処理装置であって、連続して搬送される表裏反転する必要がある２枚の紙葉類の間隔が所定値より短いか否かの判定を行う間隔判定手段と、前記間隔判定手段により、前記２枚の紙葉類の間隔が所定値より短いと判定された場合に、前記２枚の紙葉類のうち少なくとも一方を、前記表裏反転部を経由せずに前記第１の集積部とは別で、前記第２の集積部とも別の保留集積部に搬送する保留手段と、前記保留手段により前記保留集積部に搬送された紙葉類を前記第２の集積部に搬送する保留紙葉類搬送手段とを備えたことを特徴とする。
【００１４】
また、本発明は、上記発明において、前記保留手段により前記紙葉類が搬送される搬送路と、前記保留紙葉類搬送手段により前記紙葉類が搬送される搬送路とを合わせた結合搬送路の形状が、該結合搬送路により搬送される紙葉類の表裏を反転する前記表裏反転部とは別の代替表裏反転部を形成することを特徴とする。
【００１５】
また、本発明は、上記発明において、前記保留集積部は、前記保留手段により搬送された前記紙葉類の表裏を反転させて、前記保留紙葉類搬送手段に受け渡す保留部表裏反転手段を備えたことを特徴とする。
【００１６】
また、本発明は、上記発明において、前記保留紙葉類搬送手段は、前記表裏反転部を経由して前記第２の集積部に搬送することを特徴とする。
【００１７】
また、本発明は、上記発明において、装置の外部から前記紙葉類の投入を受け付ける投入紙葉類集積部に集積された前記紙葉類のうち同一種類の前記紙葉類を所定枚数、前記第１の集積部に搬送する投入紙葉類搬送手段をさらに備えたことを特徴とする。
【００１８】
また、本発明は、上記発明において、前記保留手段により集積された前記紙葉類を前記第１の集積部に搬送する保留紙葉類戻し搬送手段をさらに備えたことを特徴とする。
【００１９】
また、本発明は、上記発明において、少なくとも前記保留手段により前記保留集積部に集積された前記紙葉類が残っている場合には、前記第２の集積部に集積された前記紙葉類に対する外部からのアクセスを制限し、前記保留紙葉類搬送手段により前記保留集積部に集積された前記紙葉類が全て前記第２の集積部に搬送されたならば、前記第２の集積部に集積された前記紙葉類に対する外部からのアクセスの制限を解除するアクセス制御手段をさらに備えたことを特徴とする。
【００２０】
また、本発明は、第１の集積部に集積される紙葉類を、該第１の集積部とは別の第２の集積部に搬送する場合に、表裏反転する必要がある紙葉類は、前記紙葉類の表裏を反転する表裏反転部を経由して前記第２の集積部に搬送し、表裏反転する必要がない紙葉類は、前記表裏反転部を経由せずに前記第２の集積部に搬送する紙葉類処理装置における紙葉類処理方法であって、連続して搬送される表裏反転する必要がある２枚の紙葉類の間隔が所定値より短いか否かの判定を行う間隔判定ステップと、前記間隔判定ステップにより、前記２枚の紙葉類の間隔が所定値より短いと判定された場合に、前記２枚の紙葉類のうち少なくとも一方を、前記表裏反転部を経由せずに前記第１の集積部とは別で、前記第２の集積部とも別の保留集積部に搬送する保留ステップと、前記保留ステップにより前記保留集積部に搬送された紙葉類を前記第２の集積部に搬送する保留紙葉類搬送ステップとを含んだことを特徴とする。
【発明の効果】
【００２１】
本発明によれば、第１の集積部に集積される紙葉類を、第１の集積部とは別の第２の集積部に搬送する場合に、表裏反転する必要がある紙葉類は、紙葉類の表裏を反転する表裏反転部を経由して第２の集積部に搬送し、表裏反転する必要がない紙葉類は、表裏反転部を経由せずに第２の集積部に搬送する紙葉類処理装置において、連続して搬送される表裏反転する必要がある２枚の紙葉類の間隔が所定値より短いか否かの判定を行い、２枚の紙葉類の間隔が所定値より短いと判定された場合に、２枚の紙葉類のうち少なくとも一方を、表裏反転部を経由せずに第１の集積部とは別で、第２の集積部とも別の保留集積部に搬送し、保留集積部に搬送された紙葉類を第２の集積部に搬送するよう構成したので、スイッチバック式の表裏反転部を用いて紙葉類の表裏反転処理を行う場合に、搬送中の紙幣が連鎖状態になることにより発生する装置の異常停止を回避して装置の稼働率を向上させるとともに、操作者の装置運用に係る負荷を軽減することができる。
【図面の簡単な説明】
【００２２】
【図１】図１は、本発明に係る貨幣入出金機による紙幣の出金口への搬送処理における紙幣の表裏反転処理の概要を説明するための図である。
【図２】図２は、実施例１に係る貨幣入出金機の外観構成を示す斜視図である。
【図３】図３は、図２に示した貨幣入出金機の実施例１に係る装置内部の物理構成を示す図である。
【図４】図４は、図３に示した貨幣入出金機の装置内部の物理構成に含まれる紙幣の搬送部及び紙幣の集積部の詳細な物理構成を示す図である。
【図５】図５は、図４に示した貨幣入出金機の紙幣の搬送部の物理構成に含まれる表裏反転部の詳細な物理構成を示す図である。
【図６】図６は、図２に示した貨幣入出金機の実施例１に係る機能的な内部構成を示すブロック図である。
【図７】図７は、図２に示した貨幣入出金機の実施例１に係る紙幣の整理計数処理における紙幣の搬送経路を説明するための図（その１）である。
【図８】図８は、図２に示した貨幣入出金機の実施例１に係る紙幣の整理計数処理における紙幣の搬送経路を説明するための図（その２）である。
【図９】図９は、図７及び図８で示した貨幣入出金機における実施例１に係る紙幣の整理計数処理の処理手順を示すフローチャートである。
【図１０】図１０は、図７及び図８で示した貨幣入出金機における貨幣の整理計数処理の搬送経路の変形例を示す図である。
【図１１】図１１は、図２に示した貨幣入出金機の実施例１に係る紙幣の出金処理における紙幣の搬送経路を説明するための図（その１）である。
【図１２】図１２は、図２に示した貨幣入出金機の実施例１に係る紙幣の出金処理における紙幣の搬送経路を説明するための図（その２）である。
【図１３】図１３は、図１１及び図１２で示した貨幣入出金機における貨幣の出金処理の処理手順を示すフローチャートである。
【図１４】図１４は、実施例２に係る貨幣入出金機の装置内部の物理構成及び入出金処理における紙幣の搬送経路を示す図である。
【図１５】図１５は、図１４に示した貨幣入出金機の実施例２に係る機能的な内部構成を示すブロック図である。
【図１６】図１６は、図１４に示した貨幣入出金機の実施例２に係る紙幣の整理計数処理における紙幣の搬送経路を説明するための図（その1）である。
【図１７】図１７は、図１４に示した貨幣入出金機の実施例２に係る紙幣の整理計数処理における紙幣の搬送経路を説明するための図（その２）である。
【図１８】図１８は、図１６及び図１７で示した貨幣入出金機における実施例２に係る紙幣の整理計数処理の処理手順を示すフローチャートである。
【図１９】図１９は、従来技術として知られているスイッチバック式の紙幣の表裏反転部の構造の概要を示す図である。
【図２０】図２０は、図１９に示したスイッチバック式の紙幣の表裏反転部の課題を説明するための図である。
【発明を実施するための形態】
【００２３】
以下に、添付図面を参照して、本発明に係る紙葉類処理装置及び紙葉類処理方法の好適な実施例を詳細に説明する。
【実施例１】
【００２４】
まず、本発明に係る貨幣入出金機１００による紙幣出金口１４０への搬送処理における紙幣の表裏反転処理の概要について図１を用いて説明する。図１は、貨幣入出金機１００内の一時保留部１２０ｃから紙幣出金口１４０に紙幣を払い出す処理において、一時保留部１２０ｃに集積された紙幣の表裏が揃っていなくとも、紙幣出金口１４０に表面を上にした状態に揃えて払い出す搬送方法を説明するための図である。
【００２５】
図１（ａ）に示す搬送経路のうち、実線で示す経路Ａは、一時保留部１２０ｃに表面を上にして集積されていた紙幣が搬送される搬送経路を示している。一時保留部１２０ｃに集積されていた紙幣は、一時保留部１２０ｃから図１（ａ）に示す経路に沿って搬送され、識別部１１６において表裏の識別が行われ、表面が上であると判定された場合には、経路Ａを経由して紙幣出金口１４０に搬送されることにより、紙幣の表面が上の状態で紙幣出金口１４０に集積される。また、識別部１１６において裏面が上であると判定された場合には、経路Ｂに分岐され表裏反転部１１８を経由して紙幣出金口１４０に搬送されることにより、紙幣の表面が上の状態で紙幣出金口１４０に集積される。
【００２６】
ただし、識別部１１６において裏面が上であると判定された場合であっても、裏面が上であると判定された紙幣が連続していて、連続する紙幣の搬送路上の間隔が所定の間隔未満の場合には、連鎖状態となることによる装置停止を招く可能性があることから、図１（ｂ）に示した経路Ｃで一時保留部１２１ａに搬送されることになる。図１（ｂ）に示すように経路Ｃは、図１（ａ）に示したスイッチバック式の表裏反転部１１８を経由しないことから、紙幣の間隔が狭かったとしてもスイッチバック式の表裏反転部１１８に起因する紙幣の連鎖状態が発生するという事態は回避される。また、図１（ｂ）に示すように、一時保留部１２０ｃで裏面が上の状態で集積されていた紙幣は経路Ｃにより一時保留部１２１ａに搬送されると、一時保留部１２１ａでは紙幣の表面が上の状態で集積されることになる。
【００２７】
図１（ａ）又は図１（ｂ）に示す経路によって、一時保留部１２０ｃに集積されていた全ての紙幣の紙幣出金口１４０又は一時保留部１２１ａへの搬送処理が終了したならば、一時保留部１２１ａに集積された全ての紙幣は、図１（ｃ）に示す経路Ｄにより紙幣出金口１４０に搬送される。一時保留部１２１ａに表面が上の状態で集積された紙幣は、経路Ｄにより紙幣出金口１４０に搬送されると、紙幣出金口１４０にも表面が上の状態で集積される。また、経路Ｄは、スイッチバック式の表裏反転部１１８を含んでいないので、搬送する紙幣の間隔が短い場合でも、スイッチバック式の表裏反転部１１８に起因する紙幣の連鎖状態が発生するような事態は回避される。
【００２８】
図１で示した例では、搬送元の紙幣の集積部が一時保留部１２０ｃで、搬送先の紙幣の集積部が紙幣出金口１４０としたが、本発明はこれに限定するものではない。例えば搬送元の紙幣の集積部を一時保留部１２０ｃと並ぶ他の一時保留部１２０ａ、１２０ｂとしてもよい。また、一時保留部１２０ａ〜１２０ｃの下方には、一時保留部１２０ａ〜１２０ｃに一時保留した紙幣を収納する収納部が存在し、この収納部を搬送元としてもよい。
【００２９】
このように、スイッチバック式の表裏反転部１１８を備える貨幣入出金機１００において、搬送元の集積部から搬出して、識別部１１６で搬出された紙幣の表裏を識別し、表裏識別結果に基づいて表裏反転する必要があるか否かを判定し、表裏反転する必要がないと判定された場合には、表裏反転部１１８を経由せずに搬送先の集積部に搬送し、表裏反転する必要があると判定され、表裏反転する必要があると判定された紙幣が連続しない場合や表裏反転する必要があると判定された紙幣が連続しても、その連続した紙幣の間隔が所定値以上の場合には表裏反転部１１８を経由して搬送先の集積部に搬送し、表裏反転する必要があると判定された紙幣が連続して、その連続した紙幣の間隔が所定値未満の場合には、表裏反転部１１８を経由せずに搬送元とも搬送先とも異なる中間集積部に一旦集積し、中間集積部に集積した貨幣を改めて搬送先の集積部に搬送するようにしたので、スイッチバック式の表裏反転部１１８を用いて紙葉類の表裏反転処理を行う場合に、搬送中の紙幣が連鎖状態になることにより発生する装置の異常停止を回避して装置の稼働率を向上させるとともに、操作者の装置運用に係る負荷を軽減することができる。
【００３０】
次に、実施例１に係る貨幣入出金機１００の外観構成について図２に示す斜視図を用いて説明する。
【００３１】
図２に示すように、本実施の形態による貨幣入出金機１００は、略直方体形状の筐体を有しており、この筐体の前面上方に紙幣入金口１１０が設けられるとともに、筐体の上面に硬貨入金口１５０が設けられるようになっている。また、筐体の前面において紙幣入金口１１０の下方には紙幣出金口１４０、紙幣出金口１４０の更に下方にはリジェクト部１４２が設けられるようになっている。また、このリジェクト部１４２の両側の側方にはそれぞれ硬貨出金ボックス１５２が配置されるようになっている。ここで、紙幣入金口１１０、紙幣出金口１４０および硬貨入金口１５０は二人の操作者が共用するようになっているのに対し、リジェクト部１４２の両側に設けられた各硬貨出金ボックス１５２は各操作者にそれぞれ対応するようになっている。
【００３２】
また、図２に示すように、紙幣入金口１１０には、当該紙幣入金口１１０の開閉を行うシャッタ４０が設けられており、また、紙幣出金口１４０にも、当該紙幣出金口１４０の開閉を行うシャッタ５０が設けられている。また、貨幣入出金機１００の筐体の前面における紙幣出金口１４０やリジェクト部１４２の下方には前面扉１４４が設けられており、この前面扉１４４を開くことにより後述するカセット部１２６を筐体内から手前側に引き出すことができるようになっている。
【００３３】
また、貨幣入出金機１００の筐体の上面における硬貨入金口１５０の両側の側方には、紙幣占有ボタン１８４、硬貨占有ボタン１８６、紙幣出金口ランプ１９０および硬貨出金口ランプ１９２がそれぞれ設けられている。これらの紙幣占有ボタン１８４、硬貨占有ボタン１８６、紙幣出金口ランプ１９０および硬貨出金口ランプ１９２はそれぞれ左右一対となるよう配置されており、各ボタン１８４、１８６や各ランプ１９０、１９２は各操作者に対応するようになっている。
【００３４】
また、貨幣入出金機１００の筐体の上面における硬貨入金口１５０の後方には例えばタッチパネル等からなる表示操作部１８２が設けられている。図２では表示操作部１８２は倒れた状態で示されているが、この表示操作部１８２を図２に示す状態から鉛直方向上方に延びるよう立たせることができるようになっている。操作者はこの表示操作部１８２により様々な情報や指示を入力することができるようになっている。
【００３５】
また、表示操作部１８２には、貨幣入出金機１００における貨幣の処理状況に関する情報や在高に関する情報が表示されるようになっている。なお、表示操作部１８２に表示される、貨幣入出金機１００における貨幣の処理状況に関する情報には、例えば、ジャム等の通常のエラーに係る情報や、リジェクト部１４２に送られたリジェクト紙幣に係る情報等が含まれる。具体的には、貨幣入出金機１００における貨幣の処理状況に関する情報として、「機体内で紙幣の詰まりが発生しました」や、「出金口のリジェクト紙幣を抜き取って下さい」等のメッセージが表示操作部１８２に表示されるようになる。また、貨幣入出金機１００の筐体の前面には電源スイッチ１８０が設けられており、操作者がこの電源スイッチ１８０をオンにすることにより貨幣入出金機１００において紙幣や硬貨の入出金処理を行うことができるようになっている。
【００３６】
次に、図２に示した貨幣入出金機１００の実施例１に係る装置内部の物理構成について図３を用いて説明する。
【００３７】
図３に示すように、貨幣入出金機１００の筐体の内部には、紙幣の入出金処理を行う紙幣処理部１０４と、硬貨の入出金処理を行う硬貨処理部１０６とがそれぞれ設けられている。紙幣処理部１０４の構成の詳細について以下に説明する。
【００３８】
前述したように、貨幣入出金機１００の筐体の前面上方に紙幣入金口１１０が設けられているが、この紙幣入金口１１０には紙幣繰出機構１１２が設置されており、筐体の外部から紙幣入金口１１０に投入された紙幣は紙幣繰出機構１１２により１枚ずつ筐体の内部に繰り出されるようになっている。詳細には、紙幣繰出機構１１２は、左右一対のキッカローラ１１２ａ、左右一対のフィードローラ１１２ｂおよび左右一対のゲートローラ１１２ｃを有している。このような紙幣繰出機構１１２において、紙幣入金口１１０に投入された紙幣はキッカローラ１１２ａによりフィードローラ１１２ｂとゲートローラ１１２ｃとの間の隙間に向かって１枚ずつ蹴り出され、この蹴り出された紙幣は、フィードローラ１１２ｂによって貨幣入出金機１００の筐体内に１枚ずつ繰り出されるようになっている。
【００３９】
また、紙幣入金口１１０には搬送部１１４が接続されており、紙幣繰出機構１１２により筐体の内部に繰り出された紙幣は搬送部１１４により１枚ずつ搬送されるようになっている。ここで、搬送部１１４には識別部１１６が設けられており、搬送部１１４により搬送される紙幣は識別部１１６によりその金種、真偽、正損及び表裏等が識別されるようになっている。また、搬送部１１４には表裏反転部１１８が設けられており、搬送部１１４により搬送される紙幣は表裏反転部１１８によりその表裏を反転させることができるようになっている。詳細は後述する。
【００４０】
また、搬送部１１４にはリジェクト部１４２が接続されており、識別部１１６により正常な紙幣ではないと識別された紙幣、すなわち入金リジェクト紙幣が搬送部１１４からリジェクト部１４２に送られるようになっている。リジェクト部１４２は筐体の前面から引き出すことができるようになっており、筐体の前面から引き出されたリジェクト部１４２は筐体の外部からアクセス可能となる。このことにより、操作者はこのリジェクト部１４２に集積されたリジェクト紙幣を手動で取り出すことができる。
【００４１】
また、搬送部１１４には複数の一時保留部１２０ａ〜１２０ｃ、１２１ａ、１２１ｂが接続されている。ここで、各一時保留部１２０ａ〜１２０ｃ、１２１ａ、１２１ｂは並列に並ぶよう配設されており、搬送部１１４から各一時保留部１２０ａ〜１２０ｃ、１２１ａ、１２１ｂに搬送された紙幣は、これらの一時保留部１２０ａ〜１２０ｃ、１２１ａ、１２１ｂにおいて積層状態で集積されることにより一時的に保留されるようになっている。また、各一時保留部１２０ａ〜１２０ｃ、１２１ａ、１２１ｂの下方には３つの紙幣集積部１２４ａ〜１２４ｃ及び２つの紙幣収納カセット１２５ａ、１２５ｂがそれぞれ設けられており、各一時保留部１２０ａ〜１２０ｃ、１２１ａ、１２１ｂに一時的に保留された紙幣は各紙幣集積部１２４ａ〜１２４ｃや各紙幣収納カセット１２５ａ、１２５ｂに送られるようになっている。
【００４２】
ここで、図３に示すように、筐体の内部において各紙幣収納カセット１２５ａ、１２５ｂはカセット部１２６に着脱自在に収容されるようになっており、このカセット部１２６は前面扉１４４を開くことにより筐体から前方に（すなわち、図３における左方向に）引き出すことができるようになっている。このように、カセット部１２６を筐体から前方に引き出すことにより、紙幣が収納された紙幣収納カセット１２５ａ、１２５ｂをカセット部１２６から取り出し、この紙幣収納カセット１２５ａ、１２５ｂを回収することができるようになっている。一方、各紙幣集積部１２４ａ〜１２４ｃに集積された紙幣は、これらの紙幣集積部１２４ａ〜１２４ｃから搬送部１１４に繰り出されるようになっており、各紙幣集積部１２４ａ〜１２４ｃから搬送部１１４に繰り出された紙幣は紙幣出金口１４０に送られ、このようにして紙幣の出金処理が行われるようになっている。
【００４３】
貨幣入出金機１００の筐体の内部に設けられた硬貨処理部１０６は、硬貨の入出金処理を行うようになっている。具体的には、上面に設けられた硬貨入金口１５０に投入された硬貨を識別部（図示せず）により識別し、その後この硬貨を筐体内に収納することによって硬貨の入金処理を行ったり、筐体内の硬貨収納部（図示せず）に収納された硬貨を各硬貨出金ボックス１５２に送ることによって硬貨の出金処理を行ったりするようになっている。本実施の形態では、硬貨処理部１０６の詳細な説明は省略する。
【００４４】
前述したように、貨幣入出金機１００の筐体の上面には、左右一対の紙幣占有ボタン１８４および左右一対の硬貨占有ボタン１８６がそれぞれ設けられており、各ボタン１８４、１８６は各操作者に対応するようになっている。そして、貨幣入出金機１００の側方に座っている各操作者が対応する紙幣占有ボタン１８４や硬貨占有ボタン１８６を押下することにより、この操作者に関連する紙幣や硬貨の入出金処理を行うことができるようになる。また、貨幣入出金機１００の筐体の上面には、左右一対の紙幣出金口ランプ１９０および左右一対の硬貨出金口ランプ１９２がそれぞれ設けられており、各ランプ１９０、１９２は各操作者に対応するようになっている。そして、紙幣出金口１４０に出金紙幣が集積されたり硬貨出金ボックス１５２に出金硬貨が集積されたりすると、紙幣や硬貨の入出金処理を行っている操作者に対応する紙幣出金口ランプ１９０や硬貨出金口ランプ１９２が点灯するようになる。
【００４５】
次に、図３に示した貨幣入出金機１００の装置内部の物理構成に含まれる紙幣の搬送部１１４及び紙幣の集積部の詳細な物理構成について図４を用いて説明する。
【００４６】
図４に示すように、搬送部１１４は、太線で示すループ状で双方向に紙幣を搬送することができるループ状搬送路１１４ａと、ループ状搬送路１１４ａから分岐部１１５ａ〜１１５ｊを介して分岐又は合流する枝状搬送路１１４ｂ〜１１４ｊと、表裏反転部１１８を含む。枝状搬送路１１４ｂは、紙幣入金口１１０に投入された紙幣をループ状搬送路１１４ａに搬送し、分岐部１１５ａによりループ状搬送路１１４ａの時計回り方向に合流させるための搬送路である。枝状搬送路１１４ｃは、ループ状搬送路１１４ａ上を搬送され分岐部１１５ｄにより分岐された紙幣を紙幣出金口１４０に搬送するための搬送路である。枝状搬送路１１４ｄは、ループ状搬送路１１４ａ上を搬送され分岐部１１５ｄにより分岐された紙幣をリジェクト部１４２に搬送するための搬送路である。
【００４７】
枝状搬送路１１４ｅ〜１１４ｊは、一時保留部１２０ａ〜１２０ｃ、１２１ａ、１２１ｂとループ状搬送路１１４ａとの間の紙幣の双方向の搬送を行うための搬送路であり、それぞれ分岐部１１５ｅ〜１１５ｊでループ状搬送路１１４ａに接続される。また、枝状搬送路１１４ｅ〜１１４ｇは、それぞれに対応する一時保留部１２０ａ〜１２０ｃから搬送した紙幣を、分岐部１１５ｅ〜１１５ｇでループ状搬送路１１４ａの反時計回り方向に合流させるとともに、ループ状搬送路１１４ａ上を時計回りの方向に搬送されてきて分岐部１１５ｅ〜１１５ｇで分岐された紙幣を一時保留部１２０ａ〜１２０ｃに搬送する。
【００４８】
また、枝状搬送路１１４ｈは、一時保留部１２１ａから搬送した紙幣を、分岐部１１５ｈでループ状搬送路１１４ａの時計回りの方向若しくは反時計回りの方向に合流させるとともに、ループ状搬送路１１４ａ上を時計回り若しくは反時計回りの方向に搬送されてきて分岐部１１５ｈで分岐された紙幣を一時保留部１２１ａに搬送する。また、枝状搬送路１１４ｉは、一時保留部１２１ｂから搬送した紙幣を、分岐部１１５ｉでループ状搬送路１１４ａの時計回りの方向に合流させるとともに、ループ状搬送路１１４ａ上を反時計回りの方向に搬送されてきて分岐部１１５ｉで分岐された紙幣を一時保留部１２１ｂに搬送する。また、枝状搬送路１１４ｊは、一時保留部１２１ｂから搬送した紙幣を、分岐部１１５ｊでループ状搬送路１１４ａの反時計回りの方向に合流させるとともに、ループ状搬送路１１４ａ上を時計回りの方向に搬送されてきて分岐部１１５ｊで分岐された紙幣を一時保留部１２１ｂに搬送する。
【００４９】
表裏反転部１１８は、ループ状搬送路１１４ａを反時計回りに搬送されてきて分岐部１１５ｂで分岐された紙幣を受け付けて表裏反転させて、分岐部１１５ｃでループ状搬送路１１４ａの反時計回りの方向に合流させるための搬送路である。また、表裏反転部１１８は、分岐部１１５ｂから分岐部１１５ｃへの一方向での搬送しかできないことから、ループ状搬送路１１４ａ上を時計回りの方向に紙幣搬送する場合には、分岐部１１５ｃは紙幣を表裏反転部１１８の方向に分岐させることはない。
【００５０】
一時保留部１２０ａ〜１２０ｃ、１２１ａ、１２１ｂに集積された紙幣は、キッカローラ１２７ａ〜１２７ｅによりフィードローラ１２８ａ〜１２８ｅとゲートローラ１２９ａ〜１２９ｅとの間の隙間に向かって１枚ずつ蹴り出され、この蹴り出された紙幣は、フィードローラ１２８ａ〜１２８ｅによって枝状搬送路１１４ｅ〜１１４ｊに繰り出されるようになっている。また、一時保留部１２０ａ〜１２０ｃ、１２１ａ、１２１ｂと紙幣集積部１２４ａ〜１２４ｃ及び紙幣収納カセット１２５ａ、１２５ｂとの間は一時保留板１２２ａ〜１２２ｃ、１２３ａ、１２３ｂで仕切られている。
【００５１】
一時保留板１２２ａ〜１２２ｃ、１２３ａ、１２３ｂを水平方向にスライドさせることにより、一時保留板１２２ａ〜１２２ｃ、１２３ａ、１２３ｂの上に集積されていた紙幣を紙幣集積部１２４ａ〜１２４ｃ及び紙幣収納カセット１２５ａ、１２５ｂに収納させることができる。また、一時保留板１２２ａ〜１２２ｃ、１２３ａ、１２３ｂを水平方向にスライドさせた状態で、紙幣集積部１２４ａ〜１２４ｃ及び紙幣収納カセット１２５ａ、１２５ｂの図示しないリフトにより集積された紙幣をキッカローラ１２７ａ〜１２７ｅに接する位置まで上昇させることによって紙幣集積部１２４ａ〜１２４ｃ及び紙幣収納カセット１２５ａ、１２５ｂに収納されている紙幣の枝状搬送路１１４ｅ〜１１４ｊへの繰り出しが可能となる。
【００５２】
次に、図４に示した貨幣入出金機１００の紙幣の搬送部１１４の物理構成に含まれる表裏反転部１１８の詳細な物理構成について図５を用いて説明する。
【００５３】
図５に示すように、ループ状搬送路１１４ａを反時計回りに搬送されてきた紙幣は、分岐部１１５ｂで表裏反転部１１８側に分岐可能で、分岐部１１５ｂで分岐されて表裏反転部１１８に搬送されてきた紙幣は、紙幣の先端がガイド１１８ｂに突き当たることにより図面上の右方向への搬送が停止させられるとともに、紙幣の後端を札落としゴム１１８ａで下方向にたたかれて下の搬送ベルト上に落とされる。このようにして表裏反転部１１８の下の搬送ベルト上に落とされた紙幣は、この搬送ベルトにより分岐部１１５ｃの方向に搬送され、分岐部１１５ｃにおいてループ状搬送路１１４ａの反時計回り方向に合流させられる。
【００５４】
次に、図２に示した貨幣入出金機１００の実施例１に係る機能的な内部構成について説明する。図６は、図２に示した貨幣入出金機１００の実施例１に係る機能的な内部構成を示すブロック図である。図６に示すように、貨幣入出金機１００は、表示操作部１８２、紙幣処理部１０４、硬貨処理部１０６、紙幣占有ボタン１８４、硬貨占有ボタン１８６、紙幣出金口ランプ１９０、硬貨出金口ランプ１９２、通信部１９４、記憶部１６０及び制御部１７０を有する。表示操作部１８２、紙幣処理部１０４、硬貨処理部１０６、紙幣占有ボタン１８４、硬貨占有ボタン１８６、紙幣出金口ランプ１９０、硬貨出金口ランプ１９２については図２において説明しているので、ここでは説明を省略する。通信部１９４は、勘定系端末などの上位装置とデータ通信を行うためのインタフェース部である。
【００５５】
記憶部１６０は、ハードディスク装置や不揮発性メモリ等からなる記憶デバイスである。記憶部１６０は、貨幣在高データ１６１を有する。貨幣在高データ１６１は、貨幣入出金機１００内に収納されている貨幣の金種別の在高を示す情報である。
【００５６】
制御部１７０は、貨幣入出金機１００の全体を制御する制御部であり、入金処理部１７１、出金処理部１７２、回金処理部１７３及び整理計数処理部１７４を有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【００５７】
入金処理部１７１は、上位装置からの指示若しくは表示操作部１８２などの操作に基づいて、紙幣入金口１１０に投入された紙幣及び硬貨入金口１５０に投入された硬貨の金種、真偽及び正損等の識別を行い、全ての貨幣の金種別の計数を行った上で、再利用に適さない損券及び損貨を除いて金種別の収納部に収納し、収納した金種別の計数結果に基づいて貨幣在高データ１６１の更新を行う。入金処理において紙幣入金口１１０に投入された紙幣については、基本的には金種ごとに紙幣集積部１２４ａ〜１２４ｃに収納されるが、紙幣集積部１２４ａ〜１２４ｃがフル状態であることによるあふれ券や、２千円券、損券などについては紙幣収納カセット１２５ａ、１２５ｂに収納される。
【００５８】
出金処理部１７２は、上位装置からの指示若しくは表示操作部１８２などの操作に基づいて、指定された金種別の枚数の貨幣を払い出す処理を制御する処理部である。出金処理部１７２は、硬貨の払い出しの指示を受け付けると、受け付けた指示に応じて硬貨を硬貨出金ボックス１５２に払い出す。また、出金処理部１７２は、紙幣の払い出しの指示を受け付けると、指定された金種別の枚数の紙幣を紙幣集積部１２４ａ〜１２４ｃから繰り出して紙幣出金口１４０に払い出す。出金処理部１７２は、紙幣の払い出しを行う場合には、紙幣集積部１２４ａ〜１２４ｃに集積されている表裏の状態にかかわらず紙幣出金口１４０に紙幣の表裏を揃えて払い出すことが可能である。
【００５９】
回金処理部１７３は、貨幣入出金機１００の使用開始前に紙幣収納カセット１２５ａ、１２５ｂから紙幣集積部１２４ａ〜１２４ｃに貨幣を搬送し装填する回金入金処理と、貨幣入出金機１００の使用終了後などに、紙幣集積部１２４ａ〜１２４ｃの紙幣を紙幣収納カセット１２５ａ、１２５ｂに回収して、カセット部１２６から取り出すことを可能とする回金出金処理とを制御する処理部である。
【００６０】
整理計数処理部１７４は、紙幣入金口１１０に投入された紙幣を金種ごと及び所定枚数（例えば、１００枚）ごとに表裏を揃えて紙幣出金口１４０に集積するという整理計数処理を制御する処理部である。整理計数処理に係るヒューマンインタフェースについて詳しく説明する。まず、操作者は、整理計数対象の紙幣束を紙幣入金口１１０に投入すると、貨幣入出金機１００は、投入された紙幣の金種、真偽、正損及び表裏などを識別して、先頭の紙幣と同一金種の紙幣が所定枚数に到達するまで紙幣入金口１１０から紙幣を繰り出して内部に一時保留する。この間に繰り出された紙幣のうち、先頭の紙幣と異なる金種、偽券、損券又は旧券と識別された紙幣は、紙幣出金口１４０に返却する。この紙幣出金口１４０に返却された紙幣の抜き取りが確認されたならば、内部に一時保留された所定枚数の同一金種の紙幣を表裏の状態を揃えたうえで紙幣出金口１４０に搬送し集積する。この時点で、まだ紙幣入金口１１０に紙幣が残っている場合には、紙幣出金口１４０に集積された紙幣を取り除くことにより、紙幣入金口１１０に残っている紙幣に対して同じ処理が繰り返されることになる。
【００６１】
次に、図２に示した貨幣入出金機１００の実施例１に係る紙幣の整理計数処理における紙幣の搬送経路について図７及び図８を用いて説明する。
【００６２】
図７（ａ）は、紙幣入金口１１０から繰り出された紙幣の搬送経路及び搬送先を示す図である。紙幣入金口１１０から繰り出された紙幣は、枝状搬送路１１４ｂにより搬送され、分岐部１１５ａによりループ状搬送路１１４ａに渡され、ループ状搬送路１１４ａにより識別部１１６に搬送され、識別部１１６で金種、真偽、正損及び表裏などの識別が行われる。識別部１１６で識別された紙幣は、識別結果に基づいて一時保留部１２０ｂ、１２０ｃ又は紙幣出金口１４０に選択的に搬送される。１枚目に繰り出された紙幣と同じ金種で、真券で、損券ではないと識別された場合に、表面が上と識別された紙幣は一時保留部１２０ｃに、裏面が上と識別された紙幣は一時保留部１２０ｂに搬送される。また、それ以外の１枚目に繰り出された紙幣と異なる金種と判定された紙幣、真券ではないと判定された紙幣、又は損券と判定された紙幣については、紙幣出金口１４０に搬送されることによって返却される。
【００６３】
図７（ｂ）は、図７（ａ）に示した処理で一時保留部１２０ｂに集積された裏券を表裏反転させたうえで紙幣出金口１４０に搬送する搬送経路を示す図である。図７（ｂ）に示すように、一時保留部１２０ｂから繰り出された裏券は、識別部１１６で紙幣の間隔が測定され、測定された紙幣の間隔が所定値以上の場合にループ状搬送路１１４ａから分岐部１１５ｂにより表裏反転部１１８に分岐され、表裏反転部１１８で表裏反転されたうえで分岐部１１５ｄ及び枝状搬送路１１４ｃを経由して紙幣出金口１４０に搬送される。
【００６４】
図７（ｃ）は、図７（ａ）に示した処理で一時保留部１２０ｂに集積された裏券を紙幣出金口１４０に搬送する際に、識別部１１６で測定した紙幣の間隔が所定値未満だった場合の紙幣の搬送経路及び搬送先を示す図である。識別部１１６で測定した紙幣の間隔が所定値未満だった場合には、対象の紙幣を表裏反転部１１８に分岐させずにループ状搬送路１１４ａに沿って搬送し、分岐部１１５ｈ、枝状搬送路１１４ｈを経由して一時保留部１２１ａに搬送する。図７（ｃ）に示した搬送経路で搬送された紙幣は、搬送元の一時保留部１２０ｂでは裏面が上の状態であったものが、搬送先の１２１ａに集積された状態では表面が上の状態となる。
【００６５】
図８（ｄ）は、図７（ａ）に示した処理で一時保留部１２０ｃに集積された表券を紙幣出金口１４０に搬送する搬送経路を示す図である。図７（ａ）に示した処理で一時保留部１２０ｃに集積された表券は、表裏反転させる必要がないことから、表裏反転部１１８に分岐させずにループ状搬送路１１４ａに沿って搬送され、分岐部１１５ｄ及び枝状搬送路１１４ｃを経由して紙幣出金口１４０に搬送される。
【００６６】
図８（ｅ）は、図７（ｃ）で一時保留部１２０ｂから一時保留部１２１ａに搬送された紙幣を紙幣出金口１４０に搬送する搬送経路を示す図である。図８（ｅ）に示すように、一時保留部１２１ａから繰り出した紙幣は、分岐部１１５ｈでループ状搬送路１１４ａの反時計回りの方向に合流され、ループ状搬送路１１４ａを反時計回りに搬送され、表裏反転部１１８を経由せずに分岐部１１５ｄ及び枝状搬送路１１４ｃを経由して紙幣出金口１４０に搬送する。図７（ｃ）で一時保留部１２１ａに表面が上の状態で集積された紙幣は、図８（ｅ）に示す表裏反転部１１８を経由しない搬送経路で紙幣出金口１４０に搬送すれば、紙幣出金口１４０には表面が上の状態となるように集積されることになる。
【００６７】
図８（ｆ）は、図８（ｅ）に示した搬送経路とは別の、図７（ｃ）で一時保留部１２０ｂから一時保留部１２１ａに搬送された紙幣を紙幣出金口１４０に搬送する搬送路の変形例である。図８（ｆ）に示すように、一時保留部１２１ａから繰り出した紙幣は、分岐部１１５ｈでループ状搬送路１１４ａの時計回り方向に合流され、ループ状搬送路１１４ａを時計回りに搬送され、分岐部１１５ｄ及び枝状搬送路１１４ｃを経由して紙幣出金口１４０に搬送する。この場合にも、一時保留部１２１ａに表面を上の状態で集積された紙幣は、図８（ｆ）に示す表裏反転部１１８を経由しない経路で紙幣出金口１４０に搬送すれば、紙幣出金口１４０には表面が上の状態となるように集積されることになる。図８（ｅ）の経路で搬送する場合には、識別部１１６を通ることから、金種や表裏を再度確認することが可能であるが、図８（ｆ）の経路で搬送する場合には、金種や表裏を再度確認することはできない。
【００６８】
図７、図８で示した例では、図７（ａ）で裏面が上であるとして一時保留部１２０ｂに集積された裏券は、図７（ｂ）に示した表裏反転部１１８を経由することによって表裏反転させている。また、図７（ｃ）及び図８（ｅ）の経路で搬送された紙幣は、図７（ｃ）でループ状搬送路１１４ａを反時計回りに搬送される紙幣を分岐部１１５ｈで枝状搬送路１１４ｈに分岐させる搬送と、図８（ｅ）で枝状搬送路１１４ｈから分岐部１１５ｈでループ状搬送路１１４ａの反時計回りの方向に合流させる搬送とにより、表裏反転部１１８と同様のスイッチバック式の表裏反転処理が実現されているのである。
【００６９】
なお、図７、図８で示した例では、一時保留部１２０ｂに集積された裏面が上と判定された紙幣は、一時保留部１２０ｂから搬出された紙幣の間隔が所定値未満の場合に図７（ｃ）に示した経路で一時保留部１２１ａに搬送するものとしたが、本発明はこれに限定されるものではない。例えば、一時保留部１２０ｂに搬送された裏面が上と判定された全ての紙幣を、一時保留部１２０ｂから搬出された時の紙幣の間隔にかかわらず図７（ｃ）で示した経路で一時保留部１２１ａに搬送し、その後、図８（ｅ）に示した経路で紙幣出金口１４０に搬送するようにしてもよい。
【００７０】
次に、図７及び図８で示した貨幣入出金機１００における実施例１に係る紙幣の整理計数処理の処理手順について図９に示すフローチャートを用いて説明する。
【００７１】
整理計数処理部１７４は、枚数をカウントするための枚数カウントにゼロを設定する（ステップＳ１０１）。整理計数処理部１７４は、紙幣入金口１１０に投入された紙幣を識別部１１６に一枚ずつ搬送し、識別部１１６で搬送された紙幣の金種、真偽、正損及び表裏の識別させる（ステップＳ１０２）。ステップＳ１０２の識別部１１６で行った識別結果が、真券であり且つ損券でなく（ステップＳ１０３；Ｙｅｓ）、枚数カウントがゼロの場合（ステップＳ１０４；Ｙｅｓ）には、整理計数処理部１７４は、ステップＳ１０２の識別部１１６で識別された金種を整理計数対象の金種に決定する（ステップＳ１０５）。
【００７２】
ステップＳ１０２の識別部１１６で行われた表裏の識別の結果、表面が上であると識別された場合（ステップＳ１０６；Ｙｅｓ）には、整理計数処理部１７４は、その紙幣を分岐部１１５ｇまでループ状搬送路１１４ａに沿って搬送し、分岐部１１５ｇで分岐させて、枝状搬送路１１４ｇを経由して一時保留部１２０ｃに搬送する（ステップＳ１０７）。また、ステップＳ１０２の識別部１１６で行われた表裏の識別の結果、裏面が上であると識別された場合（ステップＳ１０６；Ｎｏ）には、整理計数処理部１７４は、その紙幣を分岐部１１５ｆまでループ状搬送路１１４ａに沿って搬送し、分岐部１１５ｆで分岐させて、枝状搬送路１１４ｆを経由して一時保留部１２０ｂに搬送する（ステップＳ１０８）。
【００７３】
整理計数処理部１７４は、枚数カウントを１カウントアップして（ステップＳ１０９）、枚数カウントが所定の枚数に到達していない場合（ステップＳ１１０；Ｎｏ）には、ステップＳ１０２に戻る。また、ステップＳ１０２の識別部１１６で行った識別処理で、真券ではない又は損券であると識別された場合（ステップＳ１０３；Ｎｏ）には、整理計数処理部１７４は、その紙幣を紙幣出金口１４０に搬送することにより返却して（ステップＳ１１１）、ステップＳ１０２に戻る。また、枚数カウントがゼロではなく（ステップＳ１０４；Ｎｏ）、搬送された紙幣の金種がステップＳ１０５で決定した整理計数対象の金種と異なる場合（ステップＳ１１２；Ｎｏ）には、ステップＳ１１１に移行する。また、枚数カウントがゼロではなく（ステップＳ１０４；Ｎｏ）、搬送された紙幣の金種がステップＳ１０５で決定した整理計数対象の金種と同一金種である場合（ステップＳ１１２；Ｙｅｓ）には、ステップＳ１０６に移行する。
【００７４】
枚数カウントが所定の枚数に到達している場合（ステップＳ１１０；Ｙｅｓ）には、整理計数処理部１７４は、ステップＳ１１１で搬送した紙幣出金口１４０の紙幣が抜き取られることを監視し（ステップＳ１１３）、抜き取りを検知したならば、整理計数処理部１７４は、ステップＳ１０７で一時保留部１２０ｃに集積された紙幣を、図８（ｄ）に示した搬送経路で紙幣出金口１４０に搬送する（ステップＳ１１４）。
【００７５】
次に、整理計数処理部１７４は、ステップＳ１０８で一時保留部１２０ｂに集積された紙幣を１枚ずつ識別部１１６に搬送して（ステップＳ１１５）、先行して一時保留部１２０ｂから搬送された紙幣との間隔を測定する（ステップＳ１１６）。ステップＳ１１６の紙幣間隔の測定処理の結果、先行する紙幣との間隔が所定値未満だった場合（ステップＳ１１７；Ｙｅｓ）には、整理計数処理部１７４は、少なくとも先行する紙幣若しくは後続の紙幣のいずれか一方を図７（ｃ）に示した経路で一時保留部１２１ａに搬送する（ステップＳ１１８）。また、ステップＳ１１６の紙幣間隔の測定処理の結果、先行する紙幣との間隔が所定値以上だった場合（ステップＳ１１７；Ｎｏ）には、図７（ｂ）に示す経路で表裏反転後に紙幣出金口１４０へ搬送する（ステップＳ１１９）。
【００７６】
ステップＳ１０８で一時保留部１２０ｂに集積された全ての紙幣に対するステップＳ１１５からステップＳ１１９の処理が終わっていない場合（ステップＳ１２０；Ｎｏ）には、ステップＳ１１５に戻る。また、ステップＳ１０８で一時保留部１２０ｂに集積された全ての紙幣に対するステップＳ１１５からステップＳ１１９の処理が終わっている場合（ステップＳ１２０；Ｙｅｓ）には、整理計数処理部１７４は、ステップＳ１１８で一時保留部１２１ａに搬送された全ての紙幣を、図８（ｅ）に示した経路で紙幣出金口１４０に搬送し（ステップＳ１２１）、紙幣出金口１４０のシャッタ５０を開放して（ステップＳ１２２）、処理を終了する。
【００７７】
次に、図７及び図８で示した貨幣入出金機１００における貨幣の整理計数処理の搬送経路の変形例について図１０を用いて説明する。
【００７８】
図１０（ａ）は、図７（ｃ）で示した一時保留部１２０ｂに集積された裏券を紙幣出金口１４０に搬送する際に、識別部１１６で測定した紙幣の間隔が所定値未満だった場合の紙幣の搬送経路及び搬送先に係る変形例である。図１０（ａ）に示すように、識別部１１６で測定した紙幣の間隔が所定値未満だった場合には、対象の紙幣を表裏反転部１１８に分岐させずにループ状搬送路１１４ａに沿って搬送し、分岐部１１５ｉ、枝状搬送路１１４ｉを経由して一時保留部１２１ｂに搬送する。図１０（ａ）に示した搬送経路で搬送された紙幣は、搬送元の一時保留部１２０ｂでは裏面が上の状態であったものが、搬送先の１２１ｂに集積された状態でも裏面が上の状態となる。
【００７９】
図１０（ｂ）は、図１０（ａ）で一時保留部１２０ｂから一時保留部１２１ｂに搬送された紙幣を紙幣出金口１４０に搬送する搬送経路を示す図である。図１０（ｂ）に示すように、一時保留部１２１ｂから繰り出した紙幣は、枝状搬送路１１４ｊでループ状搬送路１１４ａに搬送され、分岐部１１５ｊでループ状搬送路１１４ａの反時計回りの方向に合流され、ループ状搬送路１１４ａを反時計回りに搬送され、表裏反転部１１８を経由せずに分岐部１１５ｄ及び枝状搬送路１１４ｃを経由して紙幣出金口１４０に搬送する。図１０（ａ）で一時保留部１２１ｂに裏面を上の状態で集積された紙幣は、図１０（ｂ）に示す表裏反転部１１８を経由しない経路で紙幣出金口１４０に搬送すれば、紙幣出金口１４０には表面が上の状態となるように集積されることになる。
【００８０】
図１０（ａ）及び図１０（ｂ）の経路で搬送された紙幣は、図１０（ａ）でループ状搬送路１１４ａを反時計回りに搬送される紙幣を分岐部１１５ｉで枝状搬送路１１４ｉに分岐させる搬送と、図１０（ｂ）で枝状搬送路１１４ｊから分岐部１１５ｊでループ状搬送路１１４ａの反時計回りの方向に合流させる搬送とにより、表裏反転部１１８と同様のスイッチバック式の表裏反転処理が実現されているのである。
【００８１】
図１０（ｃ）は、図４に示した搬送部１１４の詳細な形状が異なる場合の図１０（ｂ）で示した一時保留部１２０ｂから紙幣出金口１４０に搬送する搬送経路を示す図である。図１０（ｃ）の例では、ループ状搬送路１１４ａから一時保留部１２１ｂに紙幣を収納する場合には、ループ状搬送路１１４ａを反時計回りに搬送されている紙幣を分岐部１１５ｉで枝状搬送路１１４ｉに分岐させることにより一時保留部１２１ｂに搬送可能で、一時保留部１２１ｂからループ状搬送路１１４ａに搬送する場合には繰り出した紙幣を枝状搬送路１１４ｋで搬送し、分岐部１１５ｋでループ状搬送路１１４ａの反時計回り方向に合流させることが可能となっている。
【００８２】
搬送路が図１０（ｃ）に示したような形状で構成されている場合には、一時保留部１２０ｂに集積された裏券を紙幣出金口１４０に搬送する際に、識別部１１６で測定した紙幣の間隔が所定値未満だった場合に、対象紙幣を一時保留部１２１ｂに搬送する経路については図１０（ａ）に示したのと同等の経路となる。このため、図１０（ａ）に示した搬送経路と同等の搬送経路で搬送された紙幣は、搬送元の一時保留部１２０ｂでは裏面が上の状態であったものは、搬送先の１２１ｂに集積された状態でも裏面が上の状態となる。しかしながら、一時保留部１２１ｂから、枝状搬送路１１４ｋ及び分岐部１１５ｋを経由してループ状搬送路１１４ａに合流させ、反時計回りに搬送して表裏反転部１１８を経由せずに紙幣出金口１４０に搬送すると、裏面が上のままで集積することになってしまう。よって、図１０（ｃ）に示すような構成の搬送路の場合には、図１０（ｃ）に示すように、ループ状搬送路１１４ａの分岐部１１５ｂで表裏反転部１１８に分岐して、表裏反転部１１８を経由して紙幣出金口１４０に搬送することによって表面を上にした状態で紙幣出金口１４０に搬送することができる。ただし、図１０（ｃ）の搬送経路で紙幣を搬送する場合に、紙幣間の間隔を測定する必要があり、その測定結果が所定値未満となる場合には、紙幣は表裏反転部１１８に分岐させると紙幣が連鎖状態となることによる装置停止を招く可能性があるので、対象となる紙幣は図７（ｃ）のように表裏反転部１１８を通さずに一時保留部１２１ａなどに搬送する必要がある。
【００８３】
次に、図２に示した貨幣入出金機１００の実施例１に係る紙幣の出金処理における紙幣の搬送経路について図１１及び図１２を用いて説明する。
【００８４】
図１１（ａ）は、出金処理において紙幣集積部１２４ａ〜１２４ｃに裏面が上の状態で集積されている紙幣を紙幣出金口１４０に搬送する場合の搬送経路を示す図である。紙幣集積部１２４ａ〜１２４ｃから繰り出された紙幣は、識別部１１６に搬送され、識別部１１６で紙幣の金種、真偽、正損及び表裏の識別が行われ、搬送元の紙幣集積部１２４ａ〜１２４ｃに応じた正しい金種で、真券であり、損券ではなく、裏面が上であると判定された紙幣は、ループ状搬送路１１４ａから分岐部１１５ｂにより表裏反転部１１８に分岐され、表裏反転部１１８で表裏反転されたうえで分岐部１１５ｄ及び枝状搬送路１１４ｃを経由して紙幣出金口１４０に搬送される。
【００８５】
ただし、識別部１１６で紙幣が裏面であると判定された紙幣が連続する場合には、その連続する紙幣の搬送路上の間隔を測定し、その間隔が所定値未満である場合には、少なくとも間隔の測定対象となったいずれか一方の紙幣については図１１（ｂ）に示す経路で一時保留部１２１ａに搬送する。この場合には、図１１（ｂ）に示すように、ループ状搬送路１１４ａを表裏反転部１１８を経由せずに搬送し、分岐部１１５ｈで枝状搬送路１１４ｈに分岐させて、一時保留部１２１ａに搬送する。図１１（ｂ）に示す搬送路で搬送すると、紙幣集積部１２４ａ〜１２４ｃで裏面が上だった紙幣は、一時保留部１２１ａでは表面が上の状態で集積される。出金処理としては、一時保留部１２１ａに搬送された紙幣を含めずに紙幣出金口１４０に搬送された紙幣が指定の金種別の枚数に到達したならば紙幣集積部１２４ａ〜１２４ｃからの繰出しは終了する。
【００８６】
図１２（ｃ）及び図１２（ｄ）は、図１１（ｂ）で一時保留部１２１ａに搬送された紙幣を、出金処理終了後に元の紙幣集積部１２４ａ〜１２４ｃに表裏を反転させた上で戻す搬送経路を示す図である。まず、図１２（ｃ）に示すように、一時保留部１２１ａから繰り出した紙幣を分岐部１１５ｈでループ状搬送路１１４ａの反時計回りの方向に合流させ、一時保留部１２１ｂに搬送する。一時保留部１２１ａで表面が上の状態で集積されていた紙幣は、一時保留部１２１ｂに搬送されると表面が上の状態で集積されることになる。
【００８７】
そして、図１２（ｄ）に示すように、一時保留部１２１ｂに集積されている紙幣を枝状搬送路１１４ｉに繰り出し、分岐部１１５ｉでループ状搬送路１１４ａに時計回り方向に合流させ、ループ状搬送路１１４ａで識別部１１６に搬送し、識別部１１６で金種を識別して、金種の識別結果に応じてループ状搬送路１１４ａを経由して紙幣集積部１２４ａ〜１２４ｃのいずれかに収納する。一時保留部１２１ｂで表面が上の状態で集積されていた紙幣は、図１２（ｄ）に示す経路で搬送されると紙幣集積部１２４ａ〜１２４ｃにも表面が上の状態で収納されることになる。
【００８８】
図１１、図１２で示した例では、紙幣集積部１２４ａ〜１２４ｃに裏面が上の状態で収納されていた紙幣は、図１１（ａ）に示したように、表裏反転部１１８を経由することによって表裏反転させている。また、図１１（ｂ）、図１２（ｃ）及び図１２（ｄ）に示した経路で搬送された紙幣は、図１１（ｂ）でループ状搬送路１１４ａを反時計回りに搬送される紙幣を分岐部１１５ｈで枝状搬送路１１４ｈに分岐させる搬送と、図１２（ｃ）で枝状搬送路１１４ｈから分岐部１１５ｈでループ状搬送路１１４ａの反時計回りの方向に合流させる搬送とにより、表裏反転部１１８と同様のスイッチバック式の表裏反転処理が実現されているのである。
【００８９】
次に、図１１及び図１２で示した貨幣入出金機１００における貨幣の出金処理の処理手順について図１３に示すフローチャートを用いて説明する。
【００９０】
出金処理部１７２は、上位装置若しくは表示操作部１８２より受け付けた指示に基づいて、指示された金種の紙幣を順番に繰り出してループ状搬送路１１４ａを経由して識別部１１６まで搬送する（ステップＳ２０１）。出金処理部１７２は、識別部１１６により搬送されてきた紙幣の金種、真偽、正損及び表裏の識別を行う（ステップＳ２０２）。
【００９１】
ステップＳ２０２の識別処理結果が、金種が搬送元の紙幣集積部１２４ａ〜１２４ｃと整合が取れていて、真券であり且つ損券ではなく（ステップＳ２０３；Ｙｅｓ）、表面が上であると識別された場合（ステップＳ２０４；Ｙｅｓ）には、出金処理部１７２は、表裏反転部１１８を経由せずにループ状搬送路１１４ａ、分岐部１１５ｄ、枝状搬送路１１４ｃを経由して紙幣出金口１４０に搬送する（ステップＳ２０５）。ステップＳ２０１などで紙幣集積部１２４ａ〜１２４ｃから搬出された全ての紙幣に対するステップＳ２０２の識別処理が終了していない場合（ステップＳ２０６；Ｎｏ）には、ステップＳ２０２に戻る。
【００９２】
また、ステップＳ２０２の識別処理結果が、金種が搬送元の紙幣集積部１２４ａ〜１２４ｃと整合が取れていて、真券であり且つ損券ではなく（ステップＳ２０３；Ｙｅｓ）、裏面が上であると識別された場合（ステップＳ２０４；Ｎｏ）には、出金処理部１７２は、先行して搬送される裏面が上であると判定された紙幣との搬送路上の間隔を測定し（ステップＳ２０７）、測定した間隔が所定値以上の場合（ステップＳ２０８；Ｎｏ）には、出金処理部１７２は、図１１（ａ）に示したように当該紙幣を表裏反転部１１８を経由して表裏を反転させたうえで紙幣出金口１４０に搬送して（ステップＳ２０９）、ステップＳ２０６に移行する。
【００９３】
また、ステップＳ２０７で測定した先行して搬送される裏面が上であると判定された紙幣との搬送路上の間隔が所定値未満の場合（ステップＳ２０８；Ｙｅｓ）には、出金処理部１７２は、少なくとも先行する紙幣若しくは後続の紙幣のいずれか一方を、図１１（ｂ）に示した経路で一時保留部１２１ａに搬送する（ステップＳ２１０）。また、出金処理部１７２は、紙幣出金口１４０に搬送しなかった紙幣の代わりに対応する金種の紙幣を紙幣集積部１２４ａ〜１２４ｃのいずれかから繰り出してループ状搬送路１１４ａを経由して識別部１１６まで搬送して（ステップＳ２１１）、ステップＳ２０６に移行する。
【００９４】
また、ステップＳ２０２の識別処理結果が、金種が搬送元の紙幣集積部１２４ａ〜１２４ｃと整合が取れていない、真券ではない若しくは損券である場合（ステップＳ２０３；Ｎｏ）には、出金処理部１７２は、当該紙幣をリジェクト部１４２に搬送して（ステップＳ２１２）、ステップＳ２１１に移行する。
【００９５】
ステップＳ２０１及びステップＳ２１１で紙幣集積部１２４ａ〜１２４ｃから搬出された全ての紙幣に対するステップＳ２０２の識別処理が終了したならば（ステップＳ２０６；Ｙｅｓ）、出金処理部１７２は、紙幣出金口１４０のシャッタ５０を開放する（ステップＳ２１３）。また、ステップＳ２１０で一時保留部１２１ａに搬送された紙幣が有る場合（ステップＳ２１４；Ｙｅｓ）には、出金処理部１７２は、図１２（ｃ）に示した経路で一時保留部１２１ａの紙幣を全て一時保留部１２１ｂに搬送し（ステップＳ２１５）、さらに、一時保留部１２１ｂに搬送された紙幣を図１２（ｄ）に示した経路で紙幣集積部１２４ａ〜１２４ｃに搬送及び収納し（ステップＳ２１６）、処理を終了する。また、ステップＳ２１０で一時保留部１２１ａに搬送された紙幣が無い場合（ステップＳ２１４；Ｎｏ）には、ステップＳ２１５及びステップＳ２１６の処理はスキップして、処理を終了する。
【００９６】
上述してきたように、実施例１では、スイッチバック式の表裏反転部１１８を備える貨幣入出金機１００において、搬送元の集積部から搬出して、識別部１１６で搬出された紙幣の表裏を識別し、表裏識別結果に基づいて表裏反転する必要があるか否かを判定し、表裏反転する必要がないと判定された場合には、表裏反転部１１８を経由せずに搬送先の集積部に搬送し、表裏反転する必要があると判定され、表裏反転する必要があると判定された紙幣が連続しない場合や表裏反転する必要があると判定された紙幣が連続しても、その連続した紙幣の間隔が所定値以上の場合には表裏反転部１１８を経由して搬送先の集積部に搬送し、表裏反転する必要があると判定された紙幣が連続して、その連続した紙幣の間隔が所定値未満の場合には、表裏反転部１１８を経由せずに搬送元とも搬送先とも異なる中間集積部に一旦集積し、中間集積部に集積した貨幣を改めて搬送先の集積部に搬送するよう構成したので、スイッチバック式の表裏反転部１１８を用いて紙葉類の表裏反転処理を行う場合に、搬送中の紙幣が連鎖状態になることにより発生する装置の異常停止を回避して装置の稼働率を向上させるとともに、操作者の装置運用に係る負荷を軽減することができる。
【実施例２】
【００９７】
実施例１では、図３及び図４で示したような論理形状の搬送部１１４と、スイッチバック式の表裏反転部１１８とを有する貨幣入出金機１００を例として、表裏反転対象の２枚の紙幣が所定値未満の間隔で搬送されてきた場合に、装置停止となる事態を回避するためにスイッチバック式の表裏反転部１１８を使用せずに表裏反転する方式を説明してきた。しかしながら、実施例１で説明した貨幣入出金機１００の構成は１例であって、本発明は対象を貨幣入出金機１００に限定するものではない。実施例２では、実施例１の貨幣入出金機１００とは異なる論理形状の搬送部２１４を有する貨幣入出金機２００において、表裏反転対象の２枚の紙幣が所定値未満の間隔で搬送されてきた場合に、スイッチバック式の表裏反転部２１８を使用することにより発生する紙幣の連鎖状態に起因する装置が処理停止となる事態を回避する方式を説明する。
【００９８】
まず、実施例２に係る貨幣入出金機２００の装置内部の物理構成及び入出金処理における紙幣の搬送経路について図１４を用いて説明する。図１４（ａ）は、貨幣入出金機２００における入金処理時の紙幣の搬送経路を示し、図１４（ｂ）は貨幣入出金機２００における出金処理時の紙幣の搬送経路を示している。
【００９９】
まず、図１４（ａ）を用いて貨幣入出金機２００の装置内部の物理構成を説明する。図１４（ａ）は、装置内部を装置側面に平行な面で切った断面の概要図であり、図面左側が装置正面である。装置正面には、上から入金処理及び整理計数処理の対象紙幣を投入するための紙幣入金口２１０と、出金処理及び整理計数処理等で紙幣を払い出す紙幣出金口２４０と、出金処理時にリジェクトされた紙幣を収納するリジェクト部２４２とが配置される。
【０１００】
また、入金された紙幣を金種ごとに収納するとともに、出金時に内部に収納される紙幣を払い出す紙幣集積部２２４ａ〜２２４ｃが装置の下部の奥側に配置される。また、各紙幣集積部２２４ａ〜２２４ｃの上方には、入金処理時に計数された金種別の紙幣を一時保留する一時保留部２２０ａ〜２２０ｃがある。一時保留部２２０ａ〜２２０ｃに一時保留された紙幣は、上位装置からの収納の指示を受け付けると紙幣集積部２２４ａ〜２２４ｃに収納され、上位装置からの返却の指示を受け付けると紙幣出金口２４０に搬送されることにより返却される。
【０１０１】
また、紙幣収納カセット２２５ａ、２２５ｂが装置の下部の装置正面側に配置される。紙幣収納カセット２２５ａ、２２５ｂは、カセット部２２６に着脱自在に収容されるようになっており、カセット部２２６は装置の筐体から装置正面の方向に引き出せるようになっており、引き出した状態で紙幣収納カセット２２５ａ、２２５ｂを回収することができる。紙幣収納カセット２２５ａ、２２５ｂは、貨幣入出金機２００の使用開始前に紙幣集積部２２４ａ〜２２４ｃに貨幣を搬送し装填する回金入金処理と、紙幣集積部２２４ａ〜２２４ｃの紙幣を回収する回金出金処理で使用される。また、紙幣収納カセット２２５ｂは上方に一時保留部２２１ｂを有しており、入金処理時に紙幣集積部２２４ａ〜２２４ｃがフル状態となっていることにより収納できないあふれ券や、リサイクル使用しない損券、２千円券などを収納する収納部としても使用される。
【０１０２】
また、搬送部２１４は、図１４に示したような搬送路により、紙幣入金口２１０、紙幣出金口２４０、リジェクト部２４２、紙幣集積部２２４ａ〜２２４ｃ及び紙幣収納カセット２２５ａ、２２５ｂの間の紙幣の搬送を行う。また、搬送部２１４上には、紙幣の金種、真偽、正損及び表裏等の識別を行う識別部２１６が配置される。また、搬送部２１４上を搬送される紙幣の表裏を反転して、搬送部２１４に紙幣を戻すことのできる、スイッチバック式の表裏反転部２１８を備えている。当該スイッチバック式の表裏反転部２１８の構造は、実施例１の表裏反転部１１８と同様の構造であり、同じ課題を有している。
【０１０３】
入金処理において、紙幣入金口２１０に投入された紙幣は、図１４（ａ）に示す搬送経路により、途中の識別部２１６で金種、真偽及び正損等の識別を行ったのちに、識別結果に基づいて一時保留部２２０ａ〜２２０ｃ、２２１ｂに搬送され、収納の指示を受け付けると、一時保留部２２０ａ〜２２０ｃ、２２１ｂに集積された紙幣は、対応する紙幣集積部２２４ａ〜２２４ｃ及び紙幣収納カセット２２５ｂに収納される。図１４（ａ）に示した物理構造を有する貨幣入出金機２００において入金処理が行われると、紙幣入金口２１０に表面が上の状態で集積された紙幣は、紙幣集積部２２４ａ〜２２４ｃ及び紙幣収納カセット２２５ｂに表面が上の状態で収納される。
【０１０４】
出金処理において、紙幣集積部２２４ａ〜２２４ｃから搬送された紙幣は、図１４（ｂ）に示す搬送経路により、途中の識別部２１６で金種、真偽及び正損等の識別を行ったのちに、紙幣出金口２４０又はリジェクト部２４２に搬送される。リジェクト部２４２に搬送される紙幣は、識別部２１６の識別結果が、正しい金種でないと識別された場合や、真券でない若しくは損券と識別された場合などである。また、図１４（ｂ）に示す搬送経路は、紙幣出金口２４０に表裏を揃えた状態で払い出さない場合、若しくは紙幣出金口２４０に表裏を揃えた状態で払い出すにしても、紙幣集積部２２４ａ〜２２４ｃに裏面が上の状態で集積されていて表裏反転する必要の無い場合の搬送経路を示している。
【０１０５】
次に、図１４に示した貨幣入出金機２００の実施例２に係る機能的な内部構成について説明する。図１５は、図１４に示した貨幣入出金機２００の実施例２に係る内部構成を示すブロック図である。図１５に示す貨幣入出金機２００のブロック図においては、実施例１の貨幣入出金機１００と同じ構成要素については図６に示した貨幣入出金機１００のブロック図と同じ符号を付与し、実施例１の貨幣入出金機１００と異なる構成要素については図６に示した貨幣入出金機１００ブロック図とは異なる符号を新たに採番した。貨幣入出金機２００の内部構成の説明では、実施例１の貨幣入出金機１００と同じ符号を付与した構成要素についての説明は省略し、符号を新たに採番した実施例１の貨幣入出金機１００と異なる構成要素について主に説明するものとする。
【０１０６】
図１４に示したように貨幣入出金機２００は、実施例１の貨幣入出金機１００とは別の装置であることから、紙幣処理部２０４及び硬貨処理部２０６の内部構成は実施例１の貨幣入出金機１００の紙幣処理部１０４及び硬貨処理部１０６と差異がある。紙幣処理部１０４については、図１４に示したように装置内の搬送路の形状が実施例１の紙幣処理部１０４と差異がある。
【０１０７】
また、制御部１７０に含まれる入金処理部２７１、出金処理部２７２、回金処理部２７３及び整理計数処理部２７４は、少なくとも図１４に示したように紙幣処理部２０４の搬送部２１４の搬送路の論理形状と、実施例１の紙幣処理部１０４の搬送部１１４の搬送路の論理形状とに差異があることから、実施例１の制御部１７０に含まれる入金処理部１７１、出金処理部１７２、回金処理部１７３及び整理計数処理部１７４の処理内容と差異がある。
【０１０８】
詳細には後述するが、搬送路の論理形状が異なるので、紙幣の搬送を制御する方法が異なる。また、搬送路の論理形状の差異により、実施例１では、紙幣集積部１２４ａ〜１２４ｃ若しくは一時保留部１２０ａ〜１２０ｃから紙幣出金口１４０に紙幣を搬送する場合に、紙幣集積部１２４ａ〜１２４ｃ若しくは一時保留部１２０ａ〜１２０ｃに表面が上の状態で集積されていた紙幣は、表裏反転部１１８を経由せずに搬送すると紙幣出金口１４０に表面が上の状態で集積された。しかしながら、実施例２では、紙幣集積部２２４ａ〜２２４ｃ若しくは一時保留部２２０ａ〜２２０ｃから紙幣出金口２４０に紙幣を搬送する場合に、紙幣集積部２２４ａ〜２２４ｃ若しくは一時保留部２２０ａ〜２２０ｃに表面が上の状態で集積されていた紙幣は、表裏反転部２１８を経由せずに搬送すると紙幣出金口２４０には裏面が上の状態で集積されることになる。
【０１０９】
次に、図１４に示した貨幣入出金機２００の実施例２に係る紙幣の整理計数処理における紙幣の搬送経路について図１６及び図１７を用いて説明する。
【０１１０】
図１６（ａ）は、紙幣入金口２１０から繰り出された紙幣の搬送経路及び搬送先を示す図である。紙幣入金口２１０から繰り出された紙幣は、搬送部２１４により図１６（ａ）に示す経路で識別部２１６に搬送され、識別部２１６で金種、真偽、正損及び表裏などの識別が行われる。識別部２１６で識別された紙幣は、識別結果に基づいて一時保留部２２０ｂ、２２０ｃ又は紙幣出金口２４０に選択的に搬送される。１枚目に繰り出された紙幣と同じ金種で、真券であり、損券ではないと識別された場合に、表面が上と識別された紙幣は一時保留部２２０ｃに、裏面が上と識別された紙幣は一時保留部２２０ｂに搬送される。また、それ以外の１枚目に繰り出された紙幣と異なる金種と判定された紙幣、真券ではないと判定された紙幣、又は損券と判定された紙幣については、紙幣出金口２４０に搬送されることによって返却される。
【０１１１】
図１６（ｂ）は、図１６（ａ）に示した処理で一時保留部２２０ｃに集積された表券を表裏反転させたうえで紙幣出金口２４０に搬送する搬送経路を示す図である。図１６（ｂ）に示すように、一時保留部２２０ｃから繰り出された表券は、識別部２１６で紙幣の間隔が測定され、測定された紙幣の間隔が所定値以上の場合に、表裏反転部２１８に分岐され、表裏反転部２１８で表裏反転されたうえで図１６（ｂ）に示した経路で紙幣出金口２４０に搬送される。一時保留部２２０ｃに表面が上の状態で集積されていた紙幣は、図１６（ｂ）の経路で紙幣出金口２４０に搬送されると、表面が上の状態で紙幣出金口２４０に集積されることになる。
【０１１２】
図１６（ｃ）は、図１６（ａ）に示した処理で一時保留部２２０ｃに集積された表券を紙幣出金口２４０に搬送する際に、識別部２１６で測定した紙幣の間隔が所定値未満だった場合の紙幣の搬送経路及び搬送先を示す図である。識別部２１６で測定した紙幣の間隔が所定値未満だった場合には、対象の紙幣を表裏反転部２１８に分岐させずに図１６（ｃ）に示した経路で一時保留部２２１ｂに搬送する。図１６（ｃ）に示した搬送経路で搬送された紙幣は、搬送元の一時保留部２２０ｃでは表面が上の状態であったものが、搬送先の２２１ｂに集積された状態では表面が上の状態となる。
【０１１３】
図１７（ｄ）は、図１６（ａ）に示した処理で一時保留部２２０ｂに集積された裏券を紙幣出金口２４０に搬送する搬送経路を示す図である。図１６（ａ）に示した処理で一時保留部２２０ｂに集積された裏券は、表裏反転させる必要がないことから、表裏反転部２１８を経由させずに図１７（ｄ）に示す経路で搬送され、紙幣出金口２４０に搬送される。
【０１１４】
図１７（ｅ）は、図１６（ｃ）で一時保留部２２０ｃから一時保留部２２１ｂに搬送された紙幣を、もう一度、一時保留部２２０ｃに戻す搬送をする搬送経路を示す図である。一時保留部２２１ｂに表面が上の状態で集積されていた紙幣は、図１７（ｅ）に示す経路により、一時保留部２２０ｃに搬送されると、表面が上の状態で集積されることになる。これは、図１６（ａ）で、紙幣入金口２１０から搬送された紙幣が一時保留部２２０ｃに搬送されたときの状態と同じである。その後、再度、図１６（ｂ）の経路で表裏反転した上で紙幣出金口２４０に搬送することにより、紙幣出金口２４０に表面が上の状態で集積することができる。再度、搬送する紙幣の間隔が所定値未満と判定されて一時保留部２２１ｂに搬送されてしまうという可能性もあるが、その場合は同じ処理を繰り返すこととなる。しかし、搬送する紙幣の間隔が所定値未満となるということは稀にしか発生しないので、通常であれば図１６（ｃ）に示すように一時保留部２２１ｂに搬送される事態が続けて発生する可能性は低いので問題はない。
【０１１５】
次に、図１６及び図１７で示した貨幣入出金機２００における実施例２に係る紙幣の整理計数処理の処理手順について図１８に示すフローチャートを用いて説明する。実施例２の貨幣入出金機２００における整理計数処理の処理手順の内、図１６（ａ）に示した紙幣入金口２１０から一時保留部２２０ａ〜２２０ｃ及び紙幣出金口２４０に搬送する処理手順は、実施例１に係る図９に示したステップＳ１０１〜ステップＳ１１３までの処理内容と同等である。よって、図１８では、図１６（ａ）に示した紙幣入金口２１０から一時保留部２２０ａ〜２２０ｃ及び紙幣出金口２４０に搬送する処理までの処理手順についての説明は省略し、図１６（ａ）に示した紙幣入金口２１０から一時保留部２２０ａ〜２２０ｃ及び紙幣出金口２４０に搬送する処理が終了した後の処理の処理手順を示す。
【０１１６】
整理計数処理部２７４は、一時保留部２２０ｂに集積された紙幣を、図１７（ｄ）に示した経路で紙幣出金口２４０に搬送する（ステップＳ３０１）。
【０１１７】
次に、整理計数処理部２７４は、一時保留部２２０ｃに集積された紙幣を１枚ずつ識別部２１６に搬送して（ステップＳ３０２）、先行して一時保留部２２０ｃから搬送された紙幣との間隔を測定する（ステップＳ３０３）。ステップＳ３０３の紙幣間隔の測定処理の結果、先行する紙幣との間隔が所定値未満だった場合（ステップＳ３０４；Ｙｅｓ）には、整理計数処理部２７４は、少なくとも先行の紙幣又は後続の紙幣のいずれか一方の紙幣を図１６（ｃ）に示した経路で一時保留部２２１ｂに搬送する（ステップＳ３０５）。また、ステップＳ３０３の紙幣間隔の測定処理の結果、先行する紙幣との間隔が所定値以上だった場合（ステップＳ３０４；Ｎｏ）には、図１６（ｂ）に示す経路で表裏反転後に紙幣出金口２４０へ搬送する（ステップＳ３０６）。
【０１１８】
一時保留部２２０ｃに集積された全ての紙幣に対するステップＳ３０２からステップＳ３０６の処理が終わっていない場合（ステップＳ３０７；Ｎｏ）には、ステップＳ３０２に戻る。また、一時保留部２２０ｃに集積された全ての紙幣に対するステップＳ３０２からステップＳ３０６の処理が全て終わっていて（ステップＳ３０７；Ｙｅｓ）、一時保留部２２１ｂに集積されている紙幣がある場合（ステップＳ３０８；Ｙｅｓ）には、整理計数処理部２７４は、図１７（ｅ）に示した経路で一時保留部２２１ｂに集積されている紙幣を一時保留部２２０ｃに搬送して戻し（ステップＳ３０９）、ステップＳ３０２に戻る。
【０１１９】
また、一時保留部２２１ｂに集積されている紙幣がない場合（ステップＳ３０８；Ｎｏ）には、紙幣出金口２４０のシャッタ５０を開放して（ステップＳ３１０）、処理を終了する。
【０１２０】
上述してきたように、実施例２では、スイッチバック式の表裏反転部２１８を備える貨幣入出金機２００において、搬送元の集積部から搬出して、識別部２１６で搬出された紙幣の表裏を判定し、表裏判定結果に基づいて表裏反転する必要があるか否かを判定し、表裏反転する必要がないと判定された場合には、表裏反転部２１８を経由せずに搬送先の集積部に搬送し、表裏反転する必要があると判定され、表裏反転する必要があると判定された紙幣の間隔が所定値以上の場合には表裏反転部２１８を経由して搬送先の集積部に搬送し、表裏反転する必要があると判定され、表裏反転する必要があると判定された紙幣の間隔が所定値未満の場合には、表裏反転部２１８を経由せずに搬送元とも搬送先とも異なる中間集積部に一旦集積し、中間集積部に集積した貨幣を搬送元の集積部に戻して処理を再施行するように構成したので、スイッチバック式の表裏反転部２１８を用いて紙幣の表裏反転処理を行う場合に、搬送中の紙幣が連鎖状態になることにより発生する装置の異常停止を回避して装置の稼働率を向上させるとともに、操作者の装置運用に係る負荷を軽減することができる。
【０１２１】
なお、実施例１及び実施例２では、金融機関の窓口の勘定系端末などに接続される貨幣入出金機１００、２００を対象として発明内容を説明してきたが、本発明は、これに限定されるものではない。例えば、商品券や手形などの貨幣以外の紙葉類の収納及び払い出しを行い、図１９に示したようなスイッチバック式の表裏反転部を備えているような装置に、本発明の内容を適用してもよい。また、例えば、金融機関の営業店の後方に設置される出納機や、顧客ゾーンに設置される自動機に本発明の内容を適用してもよい。
【０１２２】
また、実施例１及び実施例２では、表裏反転する必要のある紙幣が連続して搬送されてきた場合に、その連続して搬送されてきた紙幣の間隔を測定して、測定した紙幣の間隔が所定値未満かどうかを判定し、所定値未満である場合には表裏反転部１１８、２１８を経由して搬送しない旨を説明してきたが、本発明は紙幣の間隔を必ずしも測定する必要はない。紙幣の間隔が所定値未満で有るか否かの判定さえできればよいことから、例えば、搬送路上の複数の位置に媒体が通過中か否かを検知することができるセンサを設けておいて、これらのセンサによる検知状況によって紙幣の間隔が所定値未満で有るか否かを判定できるようにしてもよい。
【０１２３】
また、実施例１及び実施例２では、表裏反転する必要のある紙幣が連続して搬送されてきて、その間隔が所定値未満である場合には、本来の搬送先とは別の中間搬送先に搬送し、中間搬送先から本来の搬送先に搬送するようにし、中間搬送先に搬送する経路と、中間搬送先から本来の搬送先に搬送する経路とを合せた併せた経路が紙幣を表裏反転することが可能な表裏反転部を形成する旨を説明してきたが、本発明はこれに限定されるものではない。例えば、中間搬送先が搬送されてきた紙幣の表裏を反転して搬出することができる表裏反転機構を有しているような構成であってもよい。
【０１２４】
また、上述の実施例１及び実施例２で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１２５】
以上のように、本発明に係る紙葉類処理装置及び紙葉類処理方法は、スイッチバック式の表裏反転部を用いて紙葉類の表裏反転処理を行う場合に、搬送中の紙幣が連鎖状態になることにより発生する装置の異常停止を回避して装置の稼働率を向上させるとともに、操作者の装置運用に係る負荷を軽減することに適している。
【符号の説明】
【０１２６】
４０、５０  シャッタ
１００、２００  貨幣入出金機
１０４、２０４  紙幣処理部
１０６、２０６  硬貨処理部
１１０、２１０  紙幣入金口
１１２  紙幣繰出機構
１１２ａ、１２７ａ、１２７ｂ、１２７ｃ、１２７ｄ、１２７ｅ  キッカローラ
１１２ｂ、１２８ａ、１２８ｂ、１２８ｃ、１２８ｄ、１２８ｅ  フィードローラ
１１２ｃ、１２９ａ、１２９ｂ、１２９ｃ、１２９ｄ、１２９ｅ  ゲートローラ
１１４、２１４  搬送部
１１４ａ  ループ状搬送路
１１４ｂ、１１４ｃ、１１４ｄ、１１４ｅ、１１４ｆ、１１４ｇ、１１４ｈ、１１４ｉ、１１４ｊ、１１４ｋ  枝状搬送路
１１５ａ、１１５ｂ、１１５ｃ、１１５ｄ、１１５ｅ、１１５ｆ、１１５ｇ、１１５ｈ、１１５ｉ、１１５ｊ、１１５ｋ  分岐部
１１６、２１６  識別部
１１８、２１８  表裏反転部
１１８ａ  札落としゴム
１１８ｂ  ガイド
１２０ａ、１２０ｂ、１２０ｃ、１２１ａ、１２１ｂ、２２０ａ、２２０ｂ、２２０ｃ、２２１ｂ  一時保留部
１２２ａ、１２２ｂ、１２２ｃ、１２３ａ、１２３ｂ  一時保留板
１２４ａ、１２４ｂ、１２４ｃ、２２４ａ、２２４ｂ、２２４ｃ  紙幣集積部
１２５ａ、１２５ｂ、２２５ａ、２２５ｂ  紙幣収納カセット
１２６、２２６  カセット部
１４０、２４０  紙幣出金口
１４２、２４２  リジェクト部
１４４  前面扉
１５０  硬貨入金口
１５２  硬貨出金ボックス
１６０  記憶部
１６１  貨幣在高データ
１７０  制御部
１７１、２７１  入金処理部
１７２、２７２  出金処理部
１７３、２７３  回金処理部
１７４、２７４  整理計数処理部
１８０  電源スイッチ
１８２  表示操作部
１８４  紙幣占有ボタン
１８６  硬貨占有ボタン
１９０  紙幣出金ランプ
１９２  硬貨出金ランプ
１９４  通信部
【図１】
2017013906.tif 000003
【図２】
2017013906.tif 000004
【図３】
2017013906.tif 000005
【図４】
2017013906.tif 000006
【図５】
2017013906.tif 000007
【図６】
2017013906.tif 000008
【図７】
2017013906.tif 000009
【図８】
2017013906.tif 000010
【図９】
2017013906.tif 000011
【図１０】
2017013906.tif 000012
【図１１】
2017013906.tif 000013
【図１２】
2017013906.tif 000014
【図１３】
2017013906.tif 000015
【図１４】
2017013906.tif 000016
【図１５】
2017013906.tif 000017
【図１６】
2017013906.tif 000018
【図１７】
2017013906.tif 000019
【図１８】
2017013906.tif 000020
【図１９】
2017013906.tif 000021
【図２０】
2017013906.tif 000022